(57)【要約】【課題】好適に体温等を測定できる貼り付け式の温度計を提供する。【解決手段】体温計１は、少なくとも一部が透光性を有するシート状の基材１１と、基材１１の下面において透光性を有する部分に設けられた示温材１２と、基材１１の下面に設けられた粘着層１４を有する。示温材１２は測温領域１００に形成され、コレステリック液晶が用いられる。コレステリック液晶は温度に応じて色変化し、温度の測定結果は記録領域２００にてシール１３によりその場で記録可能である。【選択図】図１
2017125741.tif 000002
【特許請求の範囲】
【請求項１】
少なくとも一部が透光性を有するシート状の基材と、
前記基材の一方の面において前記透光性を有する部分に設けられ、温度に応じて色変化する示温材と、
前記基材の前記一方の面に設けられた粘着層と、
を有する温度計。
【請求項２】
前記粘着層として、ゲル状の冷却材が設けられることを特徴とする請求項１記載の温度計。
【請求項３】
前記示温材の色変化が可逆的であり、前記冷却材が着脱可能であることを特徴とする請求項２記載の温度計。
【請求項４】
前記示温材としてコレステリック液晶が用いられることを特徴とする請求項１から請求項３のいずれかに記載の温度計。
【請求項５】
前記示温材の色変化が可逆的であり、温度の測定結果を記録するための記録領域が設けられることを特徴とする請求項１から請求項４のいずれかに記載の温度計。
【請求項６】
前記記録領域は、温度の測定結果に対応する位置のシールを剥がすことによって記録を行うものであることを特徴とする請求項５記載の温度計。
【請求項７】
前記記録領域が着脱可能であることを特徴とする請求項５または請求項６に記載の温度計。
【請求項８】
前記記録領域が、前記基材に貼り付けるシールとして構成されたことを特徴とする請求項７記載の温度計。
【請求項９】
前記記録領域が、記録用のシートを保持部で保持して構成されたことを特徴とする請求項７記載の温度計。
【発明の詳細な説明】
【技術分野】
【０００１】
本発明は体温等を測定する温度計に関する。
【背景技術】
【０００２】
体温計には様々なものがあるが、先端の温度センサーをわきや耳などの測定部位に押し当てて温度測定を行うものが主流である。しかしながら、体温計を手で持つなどして温度センサーを測定部位に押し当て続ける必要がある等使いづらい面もある。
【０００３】
一方、皮膚等に貼って用いる貼り付け式の体温計も開発されている。その一例として温度に応じて色変化するコレステリック液晶をシート状の基材に設けた薄厚のものがあり、特許文献１−３にその例が記載されている。このような体温計は、身体の測定部位に貼って液晶の色変化により体温を把握でき、取り扱いも簡単である。
【先行技術文献】
【特許文献】
【０００４】
【特許文献１】特開平01-230692号公報
【特許文献２】特開平07-103829号公報
【特許文献３】特表2002-527720号公報
【発明の概要】
【発明が解決しようとする課題】
【０００５】
しかしながら、特許文献１−３に記載の体温計は、基材において、皮膚等に貼り付ける側の面と反対側の面にコレステリック液晶が設けられている。そのため、体温計を皮膚等に貼り付けた際、コレステリック液晶と皮膚等の間に基材が介在することになり、温度測定の瞬時性、正確性という点では劣る。
【０００６】
本発明は上記の問題に鑑みてなされたものであり、好適に体温等を測定できる貼り付け式の温度計を提供することを目的とする。
【課題を解決するための手段】
【０００７】
前述した課題を解決するための本発明は、少なくとも一部が透光性を有するシート状の基材と、前記基材の一方の面において前記透光性を有する部分に設けられ、温度に応じて色変化する示温材と、前記基材の前記一方の面に設けられた粘着層と、を有する温度計である。
【０００８】
本発明の温度計は、粘着層によって皮膚等に貼り付けた状態で示温材の色を外側から目視することで温度を把握でき、従来の一般的な温度計に比べ取扱いが容易であり、腕や背中、額等どこにでも違和感なく貼り付けて簡単に体温等を測定できる。また温度計の皮膚等への貼り付け時には示温材と皮膚等の間に基材が介在せず、短時間で熱が示温材に伝わり瞬時的かつ正確に体温等を測定することが期待できる。
【０００９】
前記粘着層として、ゲル状の冷却材が設けられることが望ましい。また前記示温材の色変化が可逆的であり、前記冷却材が着脱可能であることが望ましい。
粘着層として上記の冷却材を用いることで、冷却材で冷却を行いながら、示温材にて温度を測定することが可能になる。また示温材の色変化が可逆的な場合、冷却材を着脱可能とすることで、必要に応じて冷却材を交換しながら温度計を繰り返し使用でき、冷却材の冷却能力が失われた時点で使い切りとなることはなく、無駄がない。
【００１０】
前記示温材としてコレステリック液晶が用いられることが望ましい。
示温材としてコレステリック液晶を用いることで、温度に応じた色の変化を好適に把握できる。
【００１１】
また、前記示温材の色変化が可逆的であり、温度の測定結果を記録するための記録領域が設けられることが望ましい。さらに、前記記録領域は、温度の測定結果に対応する位置のシールを剥がすことによって記録を行うものであることが望ましい。
示温材の色変化が可逆的な場合、温度計に記録領域を設けることで、示温材の色に応じた測定結果の記録をその場で即時に行うことができる。記録方法は上記のようにシール式とすることで、測定結果を簡単に記録できる。
【００１２】
前記記録領域が着脱可能であることが望ましい。例えば前記記録領域が前記基材に貼り付けるシールとして構成されてもよいし、前記記録領域が記録用のシートを保持部で保持して構成されてもよい。
このように、記録領域自体を着脱可能とすることにより、温度計の記録領域に測定結果の記録を終えた後でもこれを交換し、新たに測定結果の記録を行って測定結果を蓄積することができる。その間温度計は繰り返し使用でき、記録領域への測定結果の記録を終えた時点で使い切りとはならず無駄がない。また記録領域はシールによって構成してもよく、シートを保持部で保持して構成してもよい。どちらの場合でも記録領域を簡単に交換できる。
【発明の効果】
【００１３】
本発明により、好適に体温等を測定できる貼り付け式の温度計を提供することができる。
【図面の簡単な説明】
【００１４】
【図１】体温計１を示す図
【図２】体温計１による温度測定について示す図
【図３】測定結果の記録について示す図
【図４】体温計１’を示す図
【図５】記録領域２００’、２００”を示す図
【図６】体温計１ａを示す図
【図７】体温計１ａ’、１ａ”を示す図
【図８】体温計１ｂを示す図
【図９】体温計１ｃを示す図
【図１０】体温計１ｄを示す図
【図１１】体温計１ｅを示す図
【発明を実施するための形態】
【００１５】
以下、図面に基づいて本発明の好適な実施形態について詳細に説明する。
【００１６】
[第１の実施形態]
図１は本発明の第１の実施形態に係る体温計１（温度計）を示す図である。図１（ａ）は体温計１を上から見た図であり、図１（ｂ）は図１（ａ）の線Ａ−Ａによる厚さ方向の断面図である。
【００１７】
体温計１は、皮膚等に貼り付けて体温を測定するものであり、シート状の基材１１に測温領域１００と記録領域２００を設け、全体として薄厚に構成される。
【００１８】
基材１１はPET（ポリエチレンテレフタレート）などの樹脂により形成され、少なくとも一部が透光性を有する透明部分となっている。後述する示温材１２はこの透明部分に設けられる。その他の部分は透明であっても不透明であってもよい。
【００１９】
測温領域１００は温度を測定し測定結果を表示する領域であり、基材１１の下面（一方の面）に示温材１２が設けられる。なお、基材１１の下面は体温計１を皮膚等へ貼り付ける際の貼り付け側の面である。
【００２０】
示温材１２は温度に応じて色変化するサーモクロミック材料であり、本実施形態では所定温度になると色変化するものを用いる。また本実施形態において示温材１２は可逆的な色変化をするもの（可逆性サーモクロミック材料）であり、ここではコレステリック液晶を用いるものとする。
【００２１】
なお、示温材１２は例えば印刷により基材１１に形成できるが、形成方法はこれに限らない。また、色変化とは見た目の色が変化することをいい、透明度の変化なども含まれるものとする。
【００２２】
コレステリック液晶については既知であるが簡単に説明すると、液晶分子の長軸方向が上下層の間で螺旋状に変化する構造を有し、温度に応じて液晶分子の長軸方向が変化して螺旋の周期が変わるものである。これによりコレステリック液晶の光学的性質が変化して色の見えが変わり、この色によりコレステリック液晶の温度が把握できる。
【００２３】
コレステリック液晶としては既知のものを使用でき、また配合する添加剤の量等によって色変化する温度を異ならせることもできる。前記したようにコレステリック液晶の色変化は可逆的であり、温度が元に戻ると色も元に戻る。コレステリック液晶の材料、および上記の添加剤については特許文献１等にも記載されているように既知であるので詳細な説明は省略する。
【００２４】
本実施形態では、36.0、36.5、37.0、37.5、38.0、38.5、39.0℃の各閾値以上になると色変化する７つのコレステリック液晶が示温材１２として設けられる。これらの示温材１２は間隔を空けて一列に配置され、各示温材１２の近傍には対応する閾値が表示される。本実施形態では閾値を0.5℃刻みとしているが、これに限らず例えば1℃刻みとすることも可能である。
【００２５】
記録領域２００は温度の測定結果を記録する領域であり、図１（ａ）の例では３回分の測定結果の記録が可能である。本実施形態では、１回分の測定結果が、示温材１２の並びに沿って一列に配置された７つのシール１３を用いて記録できる。シール１３は各示温材１２に対応する位置に設けられる。なお、本実施形態ではシール１３の色を基材１１と異なる色としておく。シール１３による測定結果の記録方法については後述する。
【００２６】
図１（ｂ）に示すように、基材１１の下面、すなわち示温材１２を形成した面と同じ面には粘着層１４が設けられる。粘着層１４は、示温材１２の形成範囲（図１（ａ）の点線で囲んだ範囲Ｂ参照）を除く基材下面のほぼ全面で設けられる。粘着層１４としては、身体に害の無いアクリル系粘着剤、ゲル粘着剤、シリコーン系粘着剤などが用いられる。
【００２７】
体温計１の最下面には樹脂等による保護フィルム１８が設けられている。この保護フィルム１８を剥がし、粘着層１４によって体温計１を測定部位の皮膚等に貼り付けて体温を測定できる（図２参照）。この際、基材１１において粘着層１４と同じ面に形成された示温材１２は、皮膚等に直に接することとなる。
【００２８】
体温計１を測定部位に貼り付けると、測定部位の温度に応じて図３に示すように示温材１２が色変化する。示温材１２は基材１１の透明部分に設けられるので、体温計１を測定部位に貼り付けた状態で示温材１２の色が外側から目視できる。本実施形態では、所定のタイミングで、色変化している示温材１２のうち最も高い閾値のものを目視し、その閾値に対応する位置のシール１３を剥がす。
【００２９】
図３の例では、３回目の温度測定において測定部位の温度が37.5℃と38.0℃の間であり、37.5℃までの示温材１２の色が変化している。そこで、矢印で示すように37.5℃に対応する位置のシール１３を剥がす。すると、シール１３を剥がした位置の見た目が下地（基材１１）の色へと変わるので、これにより測定結果を記録できる。前記したように、記録領域２００では３回分の測定結果が記録でき、例えば病院などで朝昼夜の体温を測定し、その測定結果を記録することで１日の体温の変化が把握できる。
【００３０】
以上説明したように、本実施形態の体温計１は、粘着層１４によって皮膚等に貼り付けた状態で示温材１２の色を外側から目視することで温度を把握でき、従来の一般的な体温計に比べ取扱いが容易であり、腕や背中、額等どこにでも違和感なく貼り付けて簡単に体温を測定できる。例えば幼児の背中に体温計１を貼り付け、幼児が誤って剥がさないようにもできる。また体温計１の皮膚等への貼り付け時には示温材１２と皮膚等の間に基材１１が介在せず、短時間で熱が示温材１２に伝わり瞬時的かつ正確に体温を測定することが期待できる。また温度測定に電力が不要なので、災害時など電力が確保できないケースでも使用できる。
【００３１】
本実施形態では示温材１２の色変化が可逆的なので体温計１を繰り返し使用でき、体温計１に記録領域２００を設けることで、示温材１２の色に応じた測定結果の記録をその場で即時に行うことができる。記録方法は前記のように測定結果に対応する位置のシール１３を剥がすことによって記録を行うシール式とすることで、測定結果を簡単に記録できる。また示温材１２としてコレステリック液晶を用いることで、温度に応じた色の変化を好適に把握できる。
【００３２】
しかしながら、本発明はこれに限ることはない。例えば本実施形態では体温を測定しているが、物体等の温度を測定することも可能である。
【００３３】
また示温材１２も温度に応じて色変化するサーモクロミック材料であれば特に限定されず、可逆的サーモクロミック材料としてコレステリック液晶以外に特許文献３等に示されるような金属錯塩類や縮合芳香環化合物なども利用できる。また後述するように色変化が不可逆的な不可逆性サーモクロミック材料も用いることも可能である。不可逆性サーモクロミック材料も特許文献３等に記載されているように既知であるので詳細な説明は省略する。
【００３４】
さらに、測温領域１００や記録領域２００の構成、基材１１の平面形状や示温材１２、粘着層１４の平面配置なども特に限定されない。例えば基材１１の平面形状をハート形とすることなども可能である。また本実施形態では記録領域２００にて３回分の測定結果を記録できるが、記録領域２００は４回以上の測定結果を記録するものでもよいし、１回あるいは２回分の測定結果を記録するものであってもよい。
【００３５】
さらに、図４の体温計１’に示すように、示温材１２を保護するための保護層１５を、示温材１２を覆うように基材１１の下面に設けることも可能である。保護層１５は樹脂等により形成でき、示温材１２の色変化特性に影響を与えないものとする。
【００３６】
さらに、記録領域２００は前記のようなシール式のものに限らない。例えば図５（ａ）で基材上面の一部を示すように、記録領域２００’をスクラッチ式とし、測定結果に対応する位置のスクラッチ部分１３’を擦ることで下地（基材１１）の色へと見た目を変化させ、測定結果を記録できるようにしてもよい。
【００３７】
なお、図５（ａ）の例ではスクラッチ部分１３’に対応する温度が基材１１に予め印刷され、スクラッチ部分１３’を擦るとその温度表記も目視できるようになっている。そのため、図５（ａ）の例ではスクラッチ部分１３’の色を基材１１の色と違えているが、仮に同じ色であってもスクラッチ部分１３’を擦ることにより温度の記録は可能である。また、スクラッチ部分１３’の上に同様の温度表記を行っておくことも可能である。以上は前記の記録領域２００のようにシール１３を用いる場合でも同様である。
【００３８】
その他、図５（ｂ）で断面の一部を示すように、記録領域２００”を押下式としてもよい。すなわち、記録領域２００”にプラスチック等による中空のドーム部分１３”を形成し、測定結果に対応する位置にあるドーム部分１３”を押すと凹んだ状態となり形状の変化によって測定結果を記録できるようにする。
【００３９】
さらに、記録領域を、測定結果に対応するマスにチェック記号等を書き込んだり、あるいは測定結果の温度を記入欄に書き込んだりする記入式とすることも可能である。ただし、書き込み用にペン等が必要になるという面倒さはある。
【００４０】
以下、本発明のその他の例について、第２〜第６の実施形態として説明する。各実施形態はそれまでに説明した実施形態と異なる点について説明し、同様の点については図等で同じ符号を付すなどして説明を省略する。また、第１の実施形態も含め、各実施形態で説明する構成は必要に応じて組み合わせて用いることが可能である。
【００４１】
[第２の実施形態]
図６は、第２の実施形態に係る体温計１ａについて、図１（ｂ）と同様の断面を示す図である。本実施形態の体温計１ａは、基材１１の下面に粘着層として冷却材１６が設けられる点で第１の実施形態と異なる。冷却材１６の平面配置は第１の実施形態の粘着層１４と同様であり、示温材１２の形成範囲（図１（ａ）の範囲Ｂ参照）を除く基材下面のほぼ全面に設けられる。
【００４２】
冷却材１６としては、従来の冷却ジェルシートで用いられるような高含水率のゲル状部材を用いることができる。このようなゲル状部材については既知であり詳細な説明は省略する。
【００４３】
体温計１ａの最下面の保護フィルム１８を剥がし、冷却材１６によって体温計１ａを測定部位の皮膚等に貼り付けると、冷却材１６で冷却を行いながら、示温材１２によって測定部位の体温を測定できる。
【００４４】
なお、本実施形態では冷却材１６を基材１１の下面のほぼ全面に設けるが、冷却材１６の平面配置はこれに限らない。例えば冷却材１６を測温領域１００（示温材１２の形成範囲は除く）のみに設け、記録領域２００では冷却材１６を省略することも可能である。これは第１の実施形態の粘着層１４の平面配置についても同様である。
【００４５】
また、図７（ａ）の体温計１ａ’に示すように冷却材１６の下面にシート状の断熱層１７を設け、この断熱層１７の下面に示温材１２を設けるような構成を採ることも可能である。この場合、冷却材１６と断熱層１７も透光性を有するものとし、基材１１の上面側から示温材１２の色変化が目視できるようにする。また、図７（ｂ）の体温計１ａ”に示すように、断熱層１７ａの上面が略円弧状の曲面を有していてもよい。この場合、冷却材１６を皮膚等に貼り付け易くできる。
【００４６】
[第３の実施形態]
図８（ａ）は第３の実施形態に係る体温計１ｂを図６と同様の断面で示す図である。この体温計１ｂは、冷却材１６が基材１１に対し着脱可能に設けられる点で第２の実施形態と異なる。冷却材１６は粘着層１９を介して基材１１の下面に貼り付けられている。
【００４７】
体温計１ｂは、保護フィルム１８を剥がして皮膚等に貼り付け温度測定を行うが、必要に応じて冷却材１６の交換ができる。例えば冷却能力が無くなった場合など、図８（ｂ）に示すように冷却材１６（および粘着層１９）を基材１１から取外し、その後、新たな冷却材１６を基材１１に取り付ける。
【００４８】
図８（ｃ）に示すように、交換用の冷却材１６（および粘着層１９）の上下には保護フィルム１８が貼られており、粘着層１９側の保護フィルム１８を剥がし、図８（ａ）に示すように冷却材１６を基材１１の下面に粘着層１９を介して取り付けることができる。
【００４９】
第３の実施形態では、冷却材１６を着脱可能とすることで、必要に応じて冷却材１６を交換しながら体温計１ｂを繰り返し使用でき、冷却材１６の冷却能力が失われた時点で使い切りとなることはなく、無駄がない。
【００５０】
[第４の実施形態]
図９は第４の実施形態に係る体温計１ｃを示す図である。図９（ａ）は体温計１ｃを上から見た図であり、図９（ｂ）は図９（ａ）の線Ｃ−Ｃによる鉛直方向の断面図である。
【００５１】
本実施形態の体温計１ｃは、示温材１２ａの構成や使用方法の点で第１の実施形態と異なっている。
【００５２】
すなわち、本実施形態の示温材１２ａは、第１の実施形態のように所定温度になると色変化するものでなく、温度に応じて連続的に色が変化する。また示温材１２ａは不可逆的に色変化をするもの（不可逆性サーモクロミック材料）であり、一度変化した色は、温度が元に戻っても元の色には戻らない。
【００５３】
また、基材上面の示温材１２ａの側方には、示温材１２ａの色と温度の対応関係を示すリファレンス２０が印刷等により形成されている。なお、リファレンス２０の表示形態は図９（ａ）の例に限定されない。例えば示温材１２ａを取り囲む円環状のものとすることも可能である。
【００５４】
この体温計１ｃも、保護フィルム１８を剥がして粘着層１４により測定部位の皮膚等に貼り付け、体温を測定することができる。ただし、示温材１２ａは温度に応じて不可逆的な色変化をするので、測定期間の体温の最高値が示温材１２ａの色として表示され、リファレンス２０を参照することで体温が把握できる。
【００５５】
示温材１２ａの色は元に戻らないので、色変化した示温材自体が測定結果の記録物となり、第１の実施形態のように記録領域２００を設けて測定結果を記録する必要は特に無い。また体温計１ｃは使い切りのものであり、次に体温を測定するときは新たな体温計１ｃを用いる。
【００５６】
なお、本実施形態の示温材１２ａは、第１の実施形態と同様に可逆性サーモクロミック材料とすることもでき、その場合は第１の実施形態と略同様の記録領域２００を設ければ温度の測定結果を記録でき、繰り返し使用することも可能である。逆に、第１の実施形態の示温材１２として不可逆性サーモクロミック材料を用いることもでき、この場合は上記と同様の理由から記録領域２００を省略することができる。
【００５７】
[第５の実施形態]
図１０（ａ）は第５の実施形態に係る体温計１ｄを示す図である。この体温計１ｄは、記録領域自体が着脱可能である点で第１の実施形態と異なっている。
【００５８】
すなわち、本実施形態の記録領域２００ａは、記録シール２０１を基材１１の上面に貼り付けて構成されている。第１の実施形態と同様、記録シール２０１には３回分の測定結果の記録ができる。記録方法についても、第１の実施形態と同様シール式やスクラッチ式などとできる。なお、本実施形態では記録シール２０１に測定日時などを記入できるスペース２０１１を設けている。
【００５９】
記録シール２０１に３回分の測定結果を記録した後は、記録シール２０１を剥がして新たな記録シール２０１に交換する。図１０（ｂ）に示すように、交換用の記録シール２０１は台紙２１に複数枚貼り付けて用意されており、台紙２１から１枚剥がして基材１１の記録領域２００ａに貼り付ける。記録後の記録シール２０１は台紙２１の空いた箇所に貼り付けることができる。こうして記録シール２０１を交換しながら体温の測定と記録を行い、検温履歴として蓄積できる。
【００６０】
このように、第５の実施形態では、記録領域自体を着脱可能とすることにより、記録領域２００ａに測定結果の記録を終えた後でもこれを交換し、新たに測定結果の記録を行って測定結果を蓄積することができる。その間体温計１ｄは繰り返し使用でき、記録領域２００ａに記録を終えた時点で使い切りとはならず無駄がない。また記録領域２００ａを記録シール２０１によって構成することで、簡単に交換ができる。
【００６１】
[第６の実施形態]
図１１（ａ）は第６の実施形態に係る体温計１ｅを示す図である。第６の実施形態の体温計１ｅも、記録領域自体が着脱可能な点で第１の実施形態と異なる。
【００６２】
すなわち、本実施形態の記録領域２００ｂは、記録シート２０２を複数の保持部２０３に挿入し保持して構成される。保持部２０３は帯状に設けられ、保持部２０３と基材１１の間に記録シート２０２を挿入する。記録シート２０２の構成は第５の実施形態の記録シール２０１と同様であり３回分の測定結果の記録ができるが、詳細な説明は省略する。
【００６３】
記録シート２０２に３回分の測定結果を記録した後は、記録シート２０２を保持部２０３から外して新たな記録シート２０２に交換する。図１１（ｂ）に示すように、交換用の記録シート２０２は台紙２２に設けたフィルムによる袋体２３に個別に挿入して用意されており、台紙２２から１枚抜き取り保持部２０３に挿入して保持させる。記録後の記録シート２０２は台紙２２の空いた袋体２３に挿入できる。こうして記録シート２０２を交換しながら体温の測定と記録を行い、検温履歴として蓄積できる。第５の実施形態と同様、第６の実施形態でも体温計１ｅを無駄なく使用でき、記録領域２００ｂの交換も簡単である。
【００６４】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６５】
１、１’１ａ、１ａ’、１ａ”、１ｂ、１ｃ、１ｄ、１ｅ：体温計
１１：基材
１２、１２ａ：示温材
１３：シール
１３’：スクラッチ部分
１３”：ドーム部分
１４、１９：粘着層
１５：保護層
１６：冷却材
１７、１７ａ；断熱層
１８：保護フィルム
２０：リファレンス
２１、２２：台紙
２３：袋体
１００：測温領域
２００、２００’、２００ａ、２００ｂ：記録領域
２０１：記録シール
２０２：記録シート
２０３：保持部
【図１】
2017125741.tif 000003
【図２】
2017125741.tif 000004
【図３】
2017125741.tif 000005
【図４】
2017125741.tif 000006
【図５】
2017125741.tif 000007
【図６】
2017125741.tif 000008
【図７】
2017125741.tif 000009
【図８】
2017125741.tif 000010
【図９】
2017125741.tif 000011
【図１０】
2017125741.tif 000012
【図１１】
2017125741.tif 000013